(57)【要約】【課題】軟質弾性主体に貫通孔が一つ以上に設けられており、貫通孔に異なる色を有する結合部材を組み付け可能であることにより、製品が多彩となり、造形の変化も多くなる造形付きハンドグリップを提供する。【解決手段】各種の必要な造形にすることが可能であり、一つ以上の貫通孔が設けられている軟質弾性主体と、色が互いに異なり、貫通孔に組み付け可能であり、締り嵌めで貫通孔と結合する一つ以上の結合部材と、を含み、マッサージ及びリハビリテーションをすることが可能であり、二種以上の色を有することが可能であり、多種の動物造形または顔形状の造形を有することも可能である。【選択図】図１
0003203278.tif 000002
【実用新案登録請求の範囲】
【請求項１】
各種の必要な造形にすることが可能であり、一つ以上の貫通孔が設けられている軟質弾性主体と、
色が互いに異なり、前記貫通孔に組み付け可能であり、締り嵌めで前記貫通孔と結合する一つ以上の結合部材と、
を含み、
マッサージ及びリハビリテーションをすることが可能であり、二種以上の色を有することが可能であり、多種の動物造形または顔形状の造形を有することも可能であることを特徴とする造形付きハンドグリップ。
【請求項２】
前記軟質弾性主体の大きさは、人類の手がそれを握って力を加えることに適合することを特徴とする、請求項１に記載の造形付きハンドグリップ。
【請求項３】
前記結合部材は、断面形状をＴ字形にする場合には、前記軟質弾性主体の前記貫通孔に前記結合部材の一部を通過可能であり、前記結合部材の大ヘッド部が前記貫通孔の一端の穴開口に止められることを特徴とする、請求項１に記載の造形付きハンドグリップ。
【請求項４】
前記結合部材は、断面形状をエ字形にする場合には、前記軟質弾性主体の前記貫通孔を広げると、前記結合部材の一部を通過可能であり、前記結合部材の両端の大ヘッド部がそれぞれ前記貫通孔の両端の穴開口に止められることを特徴とする、請求項１に記載の造形付きハンドグリップ。
【請求項５】
前記貫通孔の一端を段階付き穴にし、前記段階付き穴が前記結合部材の大ヘッド部を収容可能であることを特徴とする、請求項４に記載の造形付きハンドグリップ。
【請求項６】
前記結合部材の中央に貫通孔が設けられており、前記貫通孔に色の異なる別の結合部材が組み付けられていることを特徴とする、請求項１に記載の造形付きハンドグリップ。
【請求項７】
前記軟質弾性主体と前記結合部材との材質は、熱硬化性エラストマー（Ｔｈｅｒｍｏｐｌａｓｔｉｃ  Ｒｕｂｂｅｒ，ＴＰＲ）を採用することを特徴とする、請求項１に記載の造形付きハンドグリップ。
【請求項８】
前記軟質弾性主体と前記結合部材との材質は、熱可塑性ゴムを採用することを特徴とする、請求項１に記載の造形付きハンドグリップ。
【請求項９】
各種の必要な造形にすることが可能であり、一つ以上の貫通孔が設けられている軟質弾性主体と、
色が互いに異なり、前記貫通孔に組み付け可能であり、断面形状がエ字形を呈する一つ以上の結合部材と、
を含み、
前記軟質弾性主体の前記貫通孔を広げると、前記貫通孔に前記結合部材の一部を通過可能であり、前記結合部材の両端の大ヘッド部がそれぞれ前記貫通孔の両端の穴開口に止められ、
マッサージ及びリハビリテーションをすることが可能であり、二種以上の色を有することが可能であり、多種の動物造形または顔形状の造形を有することも可能であることを特徴とする造形付きハンドグリップ。
【請求項１０】
各種の必要な造形にすることが可能であり、一つ以上の貫通孔が設けられている軟質弾性主体と、
色が互いに異なり、前記貫通孔に組み付け可能であり、断面形状がエ字形を呈する一つ以上の結合部材と、
を含み、
前記軟質弾性主体の前記貫通孔を広げると、前記貫通孔に前記結合部材の一部を通過可能であり、前記貫通孔の一端を段階付き穴にし、前記段階付き穴が前記結合部材の一つの大ヘッド部を収容可能であり、前記結合部材の残りの大ヘッド部が前記貫通孔の一端の穴開口に止められ、
マッサージ及びリハビリテーションをすることが可能であり、二種以上の色を有することが可能であり、多種の動物造形または顔形状の造形を有することも可能であることを特徴とする造形付きハンドグリップ。
【請求項１１】
スター状を呈し、一つ以上の貫通孔が設けられている軟質弾性主体と、
スター状を呈し、前記貫通孔に組み付け可能であり、断面形状がエ字形を呈する一つ以上の結合部材と、
を含み、
前記軟質弾性主体の前記貫通孔を広げると、前記貫通孔に前記結合部材の一部を通過可能であり、前記結合部材の両端の大ヘッド部がそれぞれ前記貫通孔の両端の穴開口に止められ、
前記貫通孔の両端をそれぞれ段階付き穴にし、前記段階付き穴がそれぞれ前記結合部材の大ヘッド部を収容可能であることを特徴とする造形付きハンドグリップ。
【請求項１２】
ハート状を呈し、一つ以上の貫通孔が設けられている軟質弾性主体と、
ハート状を呈し、前記貫通孔に組み付け可能であり、断面形状がエ字形を呈する一つ以上の結合部材と、
を含み、
前記軟質弾性主体の前記貫通孔を広げると、前記貫通孔に前記結合部材の一部を通過可能であり、前記結合部材の両端の大ヘッド部がそれぞれ前記貫通孔の両端の穴開口に止められ、
前記貫通孔の両端をそれぞれ段階付き穴にし、前記段階付き穴がそれぞれ前記結合部材の大ヘッド部を収容可能であることを特徴とする造形付きハンドグリップ。
【考案の詳細な説明】
【技術分野】
【０００１】
本考案は、ハンドグリップに関し、特に、軟質弾性主体に貫通孔が一つ以上に設けられており、貫通孔に異なる色を有する結合部材を組み付け可能であることにより、製品が多彩となり、造形の変化も多くなる造形付きハンドグリップに関するものである。
【背景技術】
【０００２】
熱硬化性エラストマーや熱可塑性ゴムの材料特性により、一体成形されたものが二つ以上の色を有することができないが、単一の色を有するものは、造形に合うことができず、例えばパンダ造形を有するものは黒色及び白色が必要であり、そしてグリズリー造形を有するものも二つの色が必要である。換言すると、単一の色は動物造形を有するものを良く表現できない。
【０００３】
また、顔造形を有するものは、立体的な形状を成形可能であるが、単一の色は顔造形を有するものを良く表現できない問題がある。
【考案の概要】
【考案が解決しようとする課題】
【０００４】
本考案の主な目的は、軟質弾性主体に貫通孔が一つ以上に設けられており、貫通孔に異なる色を有する結合部材を組み付け可能であることにより、製品が多彩となり、造形の変化も多くなる造形付きハンドグリップを提供することにある。
【課題を解決するための手段】
【０００５】
本考案の造形付きハンドグリップによると、各種の必要な造形にすることが可能であり、一つ以上の貫通孔が設けられている軟質弾性主体と、
色が互いに異なり、貫通孔に組み付け可能であり、締り嵌めで貫通孔と結合する一つ以上の結合部材と、
を含み、
マッサージ及びリハビリテーションをすることが可能であり、二種以上の色を有することが可能であり、多種の動物造形または顔形状の造形を有することも可能であることを特徴とする。
【０００６】
本考案の造形付きハンドグリップによると、軟質弾性主体の大きさは、人類の手がそれを握って力を加えることに適合することを特徴とする。
【０００７】
本考案の造形付きハンドグリップによると、結合部材は、断面形状をＴ字形にする場合には、軟質弾性主体の貫通孔に結合部材の一部を通過可能であり、結合部材の大ヘッド部が貫通孔の一端の穴開口に止められることを特徴とする。
【０００８】
本考案の造形付きハンドグリップによると、結合部材は、断面形状をエ字形にする場合には、軟質弾性主体の貫通孔を広げると、結合部材の一部を通過可能であり、結合部材の両端の大ヘッド部がそれぞれ貫通孔の両端の穴開口に止められることを特徴とする。
【０００９】
本考案の造形付きハンドグリップによると、貫通孔の一端を段階付き穴にし、段階付き穴が結合部材の大ヘッド部を収容可能であることを特徴とする。
【００１０】
本考案の造形付きハンドグリップによると、結合部材の中央に貫通孔が設けられており、貫通孔に色の異なる別の結合部材が組み付けられていることを特徴とする。
【００１１】
本考案の造形付きハンドグリップによると、軟質弾性主体と結合部材との材質は、熱硬化性エラストマーを採用することを特徴とする。
【００１２】
本考案の造形付きハンドグリップによると、軟質弾性主体と結合部材との材質は、熱可塑性ゴムを採用することを特徴とする。
【００１３】
本考案の造形付きハンドグリップによると、各種の必要な造形にすることが可能であり、一つ以上の貫通孔が設けられている軟質弾性主体と、
色が互いに異なり、貫通孔に組み付け可能であり、断面形状がエ字形を呈する一つ以上の結合部材と、
を含み、
軟質弾性主体の貫通孔を広げると、貫通孔に結合部材の一部を通過可能であり、結合部材の両端の大ヘッド部がそれぞれ貫通孔の両端の穴開口に止められ、
マッサージ及びリハビリテーションをすることが可能であり、二種以上の色を有することが可能であり、多種の動物造形または顔形状の造形を有することも可能であることを特徴とする。
【００１４】
本考案の造形付きハンドグリップによると、各種の必要な造形にすることが可能であり、一つ以上の貫通孔が設けられている軟質弾性主体と、
色が互いに異なり、貫通孔に組み付け可能であり、断面形状がエ字形を呈する一つ以上の結合部材と、
を含み、
軟質弾性主体の貫通孔を広げると、貫通孔に結合部材の一部を通過可能であり、貫通孔の一端を段階付き穴にし、段階付き穴が結合部材の一つの大ヘッド部を収容可能であり、結合部材の残りの大ヘッド部が貫通孔の一端の穴開口に止められ、
マッサージ及びリハビリテーションをすることが可能であり、二種以上の色を有することが可能であり、多種の動物造形または顔形状の造形を有することも可能であることを特徴とする。
【００１５】
本考案の造形付きハンドグリップによると、スター状を呈し、一つ以上の貫通孔が設けられている軟質弾性主体と、
スター状を呈し、貫通孔に組み付け可能であり、断面形状がエ字形を呈する一つ以上の結合部材と、
を含み、
軟質弾性主体の貫通孔を広げると、貫通孔に結合部材の一部を通過可能であり、結合部材の両端の大ヘッド部がそれぞれ貫通孔の両端の穴開口に止められ、
貫通孔の両端をそれぞれ段階付き穴にし、段階付き穴がそれぞれ結合部材の大ヘッド部を収容可能であることを特徴とする。
【００１６】
本考案の造形付きハンドグリップによると、ハート状を呈し、一つ以上の貫通孔が設けられている軟質弾性主体と、
ハート状を呈し、貫通孔に組み付け可能であり、断面形状がエ字形を呈する一つ以上の結合部材と、
を含み、
軟質弾性主体の貫通孔を広げると、貫通孔に結合部材の一部を通過可能であり、結合部材の両端の大ヘッド部がそれぞれ貫通孔の両端の穴開口に止められ、
貫通孔の両端をそれぞれ段階付き穴にし、段階付き穴がそれぞれ結合部材の大ヘッド部を収容可能であることを特徴とする。
【考案の効果】
【００１７】
本考案の造形付きハンドグリップによれば、軟質弾性主体に貫通孔が一つ以上に設けられており、貫通孔に異なる色を有する結合部材を組み付け可能であることにより、製品が多彩となり、造形の変化も多くなるという効果を有する。
【図面の簡単な説明】
【００１８】
【図１】本考案の第１の実施形態を示す斜視図である。
【図２】本考案の第１の実施形態を示す分解斜視図である。
【図３】本考案の第２の実施形態を示す分解断面図である。
【図４】本考案の第２の実施形態を示す断面図である。
【図５】本考案の第３の実施形態を示す分解断面図である。
【図６】本考案の第３の実施形態を示す断面図である。
【図７】本考案の第４の実施形態を示す分解断面図である。
【図８】本考案の第４の実施形態を示す断面図である。
【図９】本考案の第５の実施形態を示す分解斜視図である。
【図１０】本考案の第５の実施形態を示す斜視図である。
【図１１】本考案の第５の実施形態の組合済み状態を示す断面図である。
【図１２】本考案の第５の実施形態を示す分解斜視図である。
【図１３】本考案の第５の実施形態を示す斜視図である。
【図１４】本考案の第５の実施形態の組合済み状態を示す断面図である。
【考案を実施するための最良の形態】
【００１９】
以下、本考案の実施の形態を図面に基づいて説明する。
【００２０】
本考案に係る造形付きハンドグリップは、軟質弾性主体１０と、一つ以上の結合部材２０と、を含む。
【００２１】
軟質弾性主体１０は、各種の必要な造形にすることが可能であり、一つ以上の貫通孔１１が設けられている。
【００２２】
一つ以上の結合部材２０は、色が互いに異なり、貫通孔１１に組み付け可能であり、締り嵌めで貫通孔１１と結合する。ハンドグリップ１は、マッサージ及びリハビリテーションをすることが可能であり、二種以上の色を有することが可能であり、多種の動物造形または顔形状の造形を有することも可能である。
【００２３】
軟質弾性主体１０の大きさは、人類の手がそれを握って力を加えることに適合する。
【００２４】
結合部材２０は、断面形状をＴ字形にする場合には、軟質弾性主体１０の貫通孔１１に結合部材２０の一部を通過可能であり、結合部材２０の大ヘッド部２１が貫通孔１１の一端の穴開口１１１に止められる。
【００２５】
結合部材２０は、断面形状をエ字形にする場合には、軟質弾性主体１０の貫通孔１１を広げると、結合部材２０の一部を通過可能であり、結合部材２０の両端の大ヘッド部２１、２２がそれぞれ貫通孔１１の両端の穴開口１１１、１１２に止められる。
【００２６】
貫通孔１１の一端を段階付き穴１１３にする場合には、段階付き穴１１３が結合部材２０の大ヘッド部２２を収容可能である。
【００２７】
結合部材２０の中央に貫通孔が設けられており、前記貫通孔に色の異なる別の結合部材２０が組み付けられている。これにより、ハンドグリップ１は多彩となる。
【００２８】
軟質弾性主体１０と結合部材２０との材質は、熱硬化性エラストマー（Ｔｈｅｒｍｏｐｌａｓｔｉｃ  Ｒｕｂｂｅｒ，ＴＰＲ）を採用してもよい。
【００２９】
軟質弾性主体１０と結合部材２０との材質は、熱可塑性ゴムを採用してもよい。
【００３０】
図５及び図６に示す造形付きハンドグリップは、軟質弾性主体１０と、一つ以上の結合部材２０と、を含む。軟質弾性主体１０には、一つ以上の貫通孔１１が設けられている。一つ以上の結合部材２０は、色が互いに異なり、貫通孔１１に組み付け可能であり、断面形状がエ字形を呈する。軟質弾性主体１０の貫通孔１１を広げると、結合部材２０の一部を通過可能であり、結合部材２０の両端の大ヘッド部２１、２２がそれぞれ貫通孔１１の両端の穴開口１１１、１１２に止められる。このようなハンドグリップ１は、マッサージ及びリハビリテーションをすることが可能であり、二種以上の色を有することが可能であり、多種の動物造形または顔形状の造形を有することも可能である。
【００３１】
図７及び図８に示す造形付きハンドグリップは、軟質弾性主体１０と、一つ以上の結合部材２０と、を含む。軟質弾性主体１０には、各種の必要な造形にすることが可能であり、一つ以上の貫通孔１１が設けられている。一つ以上の結合部材２０は、色が互いに異なり、貫通孔１１に組み付け可能であり、断面形状がエ字形を呈する。軟質弾性主体１０の貫通孔１１を広げると、貫通孔１１に結合部材２０の一部を通過可能である。貫通孔１１の一端を段階付き穴１１３にする場合には、段階付き穴１１３が結合部材２０の大ヘッド部２２を収容可能である。結合部材２０の大ヘッド部２１は、貫通孔１１の他端の穴開口１１１に止められる。このようなハンドグリップ１は、マッサージ及びリハビリテーションをすることが可能であり、二種以上の色を有することが可能であり、多種の動物造形または顔形状の造形を有することも可能である。
【００３２】
図９から図１１に示す造形付きハンドグリップは、軟質弾性主体１０と、一つ以上の結合部材２０と、を含む。軟質弾性主体１０は、スター状を呈し、一つ以上の貫通孔１１が設けられている。一つ以上の結合部材２０は、スター状を呈し、貫通孔１１に組み付け可能であり、断面形状がエ字形を呈する。軟質弾性主体１０の貫通孔１１を広げると、貫通孔１１に結合部材２０の一部を通過可能であり、結合部材２０の両端の大ヘッド部２１、２２がそれぞれ貫通孔１１の両端の穴開口１１１、１１２に止められる。貫通孔１１の両端を段階付き穴１１３、１１３にする場合には、段階付き穴１１３、１１３がそれぞれ結合部材２０の大ヘッド部２１、２２を収容可能である。このようなハンドグリップ１は、マッサージ及びリハビリテーションをすることが可能である。
【００３３】
図１２から図１４に示す造形付きハンドグリップは、軟質弾性主体１０と、一つ以上の結合部材２０と、を含む。軟質弾性主体１０は、ハート状を呈し、一つ以上の貫通孔１１が設けられている。一つ以上の結合部材２０は、ハート状を呈し、貫通孔１１に組み付け可能であり、断面形状がエ字形を呈する。軟質弾性主体１０の貫通孔１１を広げると、貫通孔１１に結合部材２０の一部を通過可能であり、結合部材２０の両端の大ヘッド部２１、２２がそれぞれ貫通孔１１の両端の穴開口１１１、１１２に止められる。穴開口１１１、１１２をそれぞれ段階付き穴１１３、１１３にする場合には、段階付き穴１１３、１１３がそれぞれ結合部材２０の大ヘッド部２１、２２を収容可能である。このようなハンドグリップ１は、マッサージ及びリハビリテーションをすることが可能である。
【産業上の利用可能性】
【００３４】
本考案は、ハンドグリップに適用することができる。
【符号の説明】
【００３５】
１  ハンドグリップ
１０  軟質弾性主体
１１  貫通孔
２０  結合部材
２１  大ヘッド部
２２  大ヘッド部
１１１  穴開口
１１２  穴開口
１１３  階段付き穴
【図１】
0003203278.tif 000003
【図２】
0003203278.tif 000004
【図３】
0003203278.tif 000005
【図４】
0003203278.tif 000006
【図５】
0003203278.tif 000007
【図６】
0003203278.tif 000008
【図７】
0003203278.tif 000009
【図８】
0003203278.tif 000010
【図９】
0003203278.tif 000011
【図１０】
0003203278.tif 000012
【図１１】
0003203278.tif 000013
【図１２】
0003203278.tif 000014
【図１３】
0003203278.tif 000015
【図１４】
0003203278.tif 000016
【手続補正書】
【提出日】平成28年1月20日(2016.1.20)
【手続補正１】
【補正対象書類名】実用新案登録請求の範囲
【補正対象項目名】全文
【補正方法】変更
【補正の内容】
【実用新案登録請求の範囲】
【請求項１】
各種の必要な造形にすることが可能であり、一つ以上の貫通孔が設けられている軟質弾性主体と、
色が互いに異なり、前記貫通孔に組み付け可能であり、締り嵌めで前記貫通孔と結合する一つ以上の結合部材と、
を含み、
マッサージ及びリハビリテーションをすることが可能であり、二種以上の色を有することが可能であり、多種の動物造形または顔形状の造形を有することも可能であることを特徴とする造形付きハンドグリップ。
【請求項２】
前記軟質弾性主体の大きさは、人類の手がそれを握って力を加えることに適合することを特徴とする、請求項１に記載の造形付きハンドグリップ。
【請求項３】
前記結合部材は、断面形状をＴ字形にする場合には、前記軟質弾性主体の前記貫通孔に前記結合部材の一部を通過可能であり、前記結合部材の大ヘッド部が前記貫通孔の一端の穴開口に止められることを特徴とする、請求項１に記載の造形付きハンドグリップ。
【請求項４】
前記結合部材は、断面形状をエ字形にする場合には、前記軟質弾性主体の前記貫通孔を広げると、前記結合部材の一部を通過可能であり、前記結合部材の両端の大ヘッド部がそれぞれ前記貫通孔の両端の穴開口に止められることを特徴とする、請求項１に記載の造形付きハンドグリップ。
【請求項５】
前記貫通孔の一端を段階付き穴にし、前記段階付き穴が前記結合部材の大ヘッド部を収容可能であることを特徴とする、請求項４に記載の造形付きハンドグリップ。
【請求項６】
前記結合部材の中央に貫通孔が設けられており、前記貫通孔に色の異なる別の結合部材が組み付けられていることを特徴とする、請求項１に記載の造形付きハンドグリップ。
【請求項７】
前記軟質弾性主体と前記結合部材との材質は、熱硬化性エラストマーを採用することを特徴とする、請求項１に記載の造形付きハンドグリップ。
【請求項８】
前記軟質弾性主体と前記結合部材との材質は、熱可塑性ゴムを採用することを特徴とする、請求項１に記載の造形付きハンドグリップ。
【請求項９】
各種の必要な造形にすることが可能であり、一つ以上の貫通孔が設けられている軟質弾性主体と、
色が互いに異なり、前記貫通孔に組み付け可能であり、断面形状がエ字形を呈する一つ以上の結合部材と、
を含み、
前記軟質弾性主体の前記貫通孔を広げると、前記貫通孔に前記結合部材の一部を通過可能であり、前記結合部材の両端の大ヘッド部がそれぞれ前記貫通孔の両端の穴開口に止められ、
マッサージ及びリハビリテーションをすることが可能であり、二種以上の色を有することが可能であり、多種の動物造形または顔形状の造形を有することも可能であることを特徴とする造形付きハンドグリップ。
【請求項１０】
各種の必要な造形にすることが可能であり、一つ以上の貫通孔が設けられている軟質弾性主体と、
色が互いに異なり、前記貫通孔に組み付け可能であり、断面形状がエ字形を呈する一つ以上の結合部材と、
を含み、
前記軟質弾性主体の前記貫通孔を広げると、前記貫通孔に前記結合部材の一部を通過可能であり、前記貫通孔の一端を段階付き穴にし、前記段階付き穴が前記結合部材の一つの大ヘッド部を収容可能であり、前記結合部材の残りの大ヘッド部が前記貫通孔の一端の穴開口に止められ、
マッサージ及びリハビリテーションをすることが可能であり、二種以上の色を有することが可能であり、多種の動物造形または顔形状の造形を有することも可能であることを特徴とする造形付きハンドグリップ。
【請求項１１】
スター状を呈し、一つ以上の貫通孔が設けられている軟質弾性主体と、
スター状を呈し、前記貫通孔に組み付け可能であり、断面形状がエ字形を呈する一つ以上の結合部材と、
を含み、
前記軟質弾性主体の前記貫通孔を広げると、前記貫通孔に前記結合部材の一部を通過可能であり、前記結合部材の両端の大ヘッド部がそれぞれ前記貫通孔の両端の穴開口に止められ、
前記貫通孔の両端をそれぞれ段階付き穴にし、前記段階付き穴がそれぞれ前記結合部材の大ヘッド部を収容可能であることを特徴とする造形付きハンドグリップ。
【請求項１２】
ハート状を呈し、一つ以上の貫通孔が設けられている軟質弾性主体と、
ハート状を呈し、前記貫通孔に組み付け可能であり、断面形状がエ字形を呈する一つ以上の結合部材と、
を含み、
前記軟質弾性主体の前記貫通孔を広げると、前記貫通孔に前記結合部材の一部を通過可能であり、前記結合部材の両端の大ヘッド部がそれぞれ前記貫通孔の両端の穴開口に止められ、
前記貫通孔の両端をそれぞれ段階付き穴にし、前記段階付き穴がそれぞれ前記結合部材の大ヘッド部を収容可能であることを特徴とする造形付きハンドグリップ。